(57)【要約】【課題】洗濯物を屋外で日光により乾燥させ、雨天時や夜間でも湿気を防ぐことが出来るほか、砂埃、花粉、黄砂などの微粒子の付着を防ぐなど、様々な条件のもとでの洗濯物の乾燥を可能にする。部屋干しによる居住空間の閉塞感や季節外れの加温による室内の不快感を取り除くなどの課題を解決する。【解決手段】屋外に洗濯物を架けるスペースの透明な乾燥ボックスを設置し、日光をさえぎらず、雨や露の浸入を防ぎ、微粒子の付着を防ぐ半密閉型とする。日光の光量が不足する場合は外部から温風を送風できる構造とする。強風などの外力に耐えられるようトラス構造とし、下部を地面又はベランダ床面に固着させる構造とする。【選択図】図１
0003145345.tif 000002
【実用新案登録請求の範囲】
【請求項１】
建物の外部又はベランダなどに設置するもので、金属パイプや木材によって構成される箱型で、洗濯物を日光で干す乾燥ボックス。壁面を透明なビニールやアクリル板などにより囲い、日光がほぼ遮蔽されることなく入り込み、内部の洗濯物の乾燥が出来る。前面、背面に開閉部を設け、洗濯物の出し入れが出来、好天時には開閉部を開放して風通しを良くする。雨天時には開閉部を閉じて、雨滴の進入を防ぎ、夜間には夜露の洗濯物への付着を防ぐ。また空気中を沈降する浮遊物としての砂埃、花粉、黄砂などの洗濯物への付着を防ぐ。本体上下部にはわずかな間隙を設け、下部から入り込んだ空気が、本体内で上昇流となり湿気を外部に排出できる。
【請求項２】
本体側壁下部に送風口を設け、通常は閉鎖しておき、洗濯物が乾きにくい長期間の雨天時や早急な乾燥が必要な時には、本体外部に設置したファンヒーターから、送風ダクトを通じて送風口から温風を送り込み、短時間での乾燥を可能にする。
【請求項３】
本体を屋外に設置する場合は、地面の上にコンクリート平板を敷きその上に本体を設置し、雑草などの繁茂を防いで清潔な環境を保つ。地中にはアンカーを数箇所打ち込み、本体と結束して強風などの外力による転倒を防ぐ。ベランダに設置する場合は、床面と本体を固着させ、転倒落下事故の防止を図る。
【考案の詳細な説明】
【技術分野】
【０００１】
本考案は洗濯物の乾燥に関するもので、屋外での様々な条件のもとで洗濯物の乾燥を可能にするものである。
【背景技術】
【０００２】
洗濯物を日光で乾燥させたいが、屋外の気象条件が不適当な場合、部屋干しなどの方法により、不快さを我慢しなければならなかった。又、外出、通勤、通学時に於いては、その後の天候が気になり、屋外に干すべきかどうか判断に迷う事となる。
【０００３】
長期間の雨天時や、洗濯物の乾燥が急がれるときは部屋干しをし、季節外れのストーブを焚く事となり不快である。
【０００４】
帰宅時間が遅ければ洗濯物の取り込みが夜間になり、湿気を帯びてしまう事となり、折角の乾燥が無駄になる。
【０００５】
屋外での洗濯物の乾燥には、季節によっては砂埃、花粉、黄砂などの微粒子の付着がさけられない。
【特許文献１】実用新案登録第３１２４９２８号
【考案の開示】
【考案が解決しようとする課題】
【０００６】
特許文献によれば、人が外部から屋内に花粉を持ち込まないための花粉除去装置であり洗濯物の乾燥が目的ではなく、洗濯物も架けられる場所と考えられる。
【０００７】
このため人が入り、花粉の除去操作をするために、所定の空間を占める事となり、コンパクトな装置とはならない。
【０００８】
花粉除去のためのファンや給水装置を設置するため、大掛かりな装置となり洗濯物の乾燥のための目的には合致しない。
【課題を解決するための手段】
【０００９】
本案の実現方法を図１で説明する。本体は金属パイプや木材により箱型の形状を構成し、上部に屋根の形状をした天蓋をかぶせ、雨滴の侵入を防ぎながら内部の空気を外部に排出する構造とする。洗濯物は１の物干し竿に架ける。開閉部の２は金属、木材、などで開閉部のビニールの形状を保持する。３のストッパーや４の取っ手は開閉操作のために設置する。開閉操作をスムーズにするためにビニールに５のカーテンフックを取り付ける。６の送風口にはこたつ用の送風ダクトを差込み温風による早急な乾燥を可能にした。７のスペーサーは本体下部より空気を取り込むための間隙を作り、内部に上昇流を発生させ湿気を外部に排出するためのものである。地面上に８のコンクリート平板を敷き、雑草の繁茂を防ぐ事とした。９の地中アンカーは強風などの外力による転倒を防ぐために設置する。
【考案の効果】
【００１０】
外出、通勤、通学前に洗濯物を屋外に干すべきかどうか、判断に迷う事があるが本考案によれば、予想外の降雨も気にすることは無くなる。
【００１１】
帰宅時間が不明なとき、洗濯物が夜露に濡れる心配が解消される。
【００１２】
季節によっては、砂埃、黄砂、花粉の付着を防げる。
【００１３】
長期間の雨天などにより日光による乾燥が期待できない場合、温風による乾燥を屋外で出来ることから、室内での乾燥による不快さを解消できる。
【考案を実施するための最良の形態】
【００１４】
屋外又はベランダに設置し、洗濯物を架けるコンパクトなスペースとして、幅約２ｍ、高さ約２ｍ、奥行き８０ｃｍ程度の形状とする。洗濯物を日光で乾燥し、雨や夜露の付着を防ぎ、半密閉型により、空気中を浮遊する微粒子の付着を防ぐ。
【産業上の利用可能性】
【００１５】
一般家庭における洗濯物の乾燥スペースとしては、屋外では露天の物干し竿のほか、屋内では家屋の一部をなす乾燥室などが見受けられるが、設置費用は安いものではない。本案は、農業用のビニールハウスを改造したもので、比較的安価な材料費で製作が可能であり、費用対効果の面で有利であり、広く普及できる可能性があるものと考える。
【図面の簡単な説明】
【００１６】
【図１】本考案の１例の透視模式斜視図である。
【符号の説明】
【００１７】
１    物干し竿            ステンレス
２    止め板              木材、金属
３    ストッパー          金属
４    取っ手              金属
５    カーテンフック      金属
６    送風口              木材
７    スペーサー          コンクリート
８    コンクリート平板    コンクリート
９    地中アンカー        鉄
【図１】
0003145345.tif 000003
【手続補正書】
【提出日】平成20年8月6日(2008.8.6)
【手続補正１】
【補正対象書類名】実用新案登録請求の範囲
【補正対象項目名】全文
【補正方法】変更
【補正の内容】
【実用新案登録請求の範囲】
【請求項１】
壁面が透明部材で囲まれた箱形形状の本体と、
前記本体内部に物干し竿を取り付けるための取り付け部材と、
前記本体内部に出入り可能にする開閉部とを備えることを特徴とする屋外乾燥ボックス。
【請求項２】
前記本体の側壁に送風口を備えることを特徴とする請求項１に記載の屋外乾燥ボックス。
【請求項３】
前記本体の上部及び下部に間隙が設けられることを特徴とする請求項１又は２に記載の屋外乾燥ボックス。
【手続補正２】
【補正対象書類名】明細書
【補正対象項目名】００１４
【補正方法】変更
【補正の内容】
【００１４】
屋外乾燥ボックスは、屋外又はベランダに設置し、洗濯物を架けるコンパクトなスペースとして、幅約２ｍ、高さ約２ｍ、奥行き８０ｃｍ程度の形状とする。洗濯物を日光で乾燥し、雨や夜露の付着を防ぎ、半密閉型により、空気中を浮遊する微粒子の付着を防ぐ。
屋外乾燥ボックスは、建物の外部又はベランダなどに設置するもので、金属パイプや木材によって構成される箱型で、洗濯物を日光で干すことができる。壁面を透明なビニールやアクリル板などにより囲い、日光がほぼ遮蔽されることなく入り込み、内部の洗濯物の乾燥が出来る。前面、背面に開閉部を設け、洗濯物の出し入れが出来、好天時には開閉部を開放して風通しを良くする。雨天時には開閉部を閉じて、雨滴の進入を防ぎ、夜間には夜露の洗濯物への付着を防ぐ。また空気中を沈降する浮遊物としての砂埃、花粉、黄砂などの洗濯物への付着を防ぐ。本体上下部にはわずかな間隙を設け、下部から入り込んだ空気が、本体内で上昇流となり湿気を外部に排出できる。
また、本体側壁下部に送風口を設け、通常は閉鎖しておき、洗濯物が乾きにくい長期間の雨天時や早急な乾燥が必要な時には、本体外部に設置したファンヒーターから、送風ダクトを通じて送風口から温風を送り込み、短時間での乾燥を可能にする。
さらに、本体を屋外に設置する場合は、地面の上にコンクリート平板を敷きその上に本体を設置し、雑草などの繁茂を防いで清潔な環境を保つ。地中にはアンカーを数箇所打ち込み、本体と結束して強風などの外力による転倒を防ぐ。ベランダに設置する場合は、床面と本体を固着させ、転倒落下事故の防止を図る。